(57)【要約】【課題】  ジャムや蜂蜜等の粘稠物を掬い易く、皿部に粘稠物が残留し難いスプーンを提供する。【解決手段】  皿部と、この皿部から延在する柄部とから構成されるスプーンであって、この皿部は上面に凹部を有し、この凹部に沿って皿部空洞を内蔵し、この皿部空洞から柄部に渡って柄部空洞が延在し、この皿部空洞と柄部空洞が連通して密閉され、この皿部空洞の上面には駆動部を設け、柄部空洞には操作部を設け、この操作部を押圧すると駆動部が膨張し、凹部を無くように作動することを特徴とするスプーン。【選択図】図２
2018061799.tif 000002
【特許請求の範囲】
【請求項１】
皿部と、この皿部から延在する柄部とから構成されるスプーンであって、この皿部は上面に凹部を有し、この凹部に沿って皿部空洞を内蔵し、この皿部空洞から柄部に渡って柄部空洞が延在し、この皿部空洞と柄部空洞が連通して密閉され、この皿部空洞の上面には駆動部を設け、柄部空洞には操作部を設け、この操作部を押圧すると駆動部が膨張し、凹部を無くように作動することを特徴とするスプーン。
【請求項２】
請求項１のスプーンの皿部から柄部に渡ってスプーン本体の材料より剛性の高い芯材を有することを特徴とするスプーン。
【請求項３】
請求項１又は請求項２のスプーンを上型と下型に分割し、この上型と下型の全周に渡って結合部を設けて結合し密閉したことを特徴とするスプーン。
【請求項４】
請求項1乃至請求項３の何れかのスプーンの駆動部の厚さを他の部位よりも薄くしたことを特徴とするスプーン。
【発明の詳細な説明】
【技術分野】
【０００１】
この発明は、ジャムや蜂蜜等の粘稠物を掬うスプーンに関する。
【背景技術】
【０００２】
従来、ジャムをパンに塗って食す場合、ジャムをバターナイフのように平らな掬い部で掬うとジャムが滑り落ちてしまう問題があった。一方、通常のスプーンの皿部で掬うと皿部の凹部にジャムが残留して、上手くパンに塗ることができない問題があった。
【先行技術文献】
【特許文献】
【０００３】
【特許文献１】実用新案出願公開平４−５８１８０
【発明の概要】
【発明が解決しようとする課題】
【０００４】
特許文献１の技術は、ジャムおよびバターを扱う道具であり、凹部を有するためジャムを掬い易いが、ジャムが凹部に残留するという問題は解決されていなかった。
【課題を解決するための手段】
【０００５】
皿部と、この皿部から延在する柄部とから構成されるスプーンであって、この皿部は上面に凹部を有し、この凹部に沿って皿部空洞を内蔵し、この皿部空洞から柄部に渡って柄部空洞が延在し、この皿部空洞と柄部空洞が連通して密閉され、この皿部空洞の上面には駆動部を設け、柄部空洞には操作部を設け、この操作部を押圧すると駆動部が膨張し、凹部を無くように作動することを特徴とするスプーン。
【発明の効果】
【０００６】
上記の問題点を解決し、ジャムや蜂蜜等の粘稠物を掬い易く、皿部に粘稠物が残留し難いスプーンを提供することができる。
【図面の簡単な説明】
【０００７】
【図１】第一の実施例のスプーンを示す正面図である。
【図２】第一の実施例のスプーンの縦断面図である。
【図３】第一の実施例のスプーンの皿部付近の縦断面図である。
【図４】第一の実施例のスプーンの使用状態を示す縦断面図である。
【図５】第一の実施例のスプーンを示す左側面図、右側面図、正面図、平面図である。背面図は正面図と対称に表れる。底面図は平面図と同一に表れる。
【図６】図1のAA断面図である。
【図７】第二の実施例のスプーンを示す縦断面図である。
【図８】第二の実施例のスプーンの皿部付近の拡大縦断面図である。
【図９】図８のD部拡大断面図である。
【図１０】第三の実施例のスプーンの平面図である。
【図１１】図１０のCC断面図である。
【図１２】第三の実施例のスプーンを示す左側面図、右側面図、正面図、平面図である。背面図は正面図と対称に表れる。底面図は平面図と同一に表れる。
【発明を実施するための形態】
【０００８】
皿部と、この皿部から延在する柄部とから構成されるスプーンであって、この皿部は上面に凹部を有し、この凹部に沿って皿部空洞を内蔵し、この皿部空洞から柄部に渡って柄部空洞が延在し、この皿部空洞と柄部空洞が連通して密閉され、この皿部空洞の上面には駆動部を設け、柄部空洞には操作部を設け、この操作部を押圧すると駆動部が膨張し、凹部を無くように作動することを特徴とするスプーン。
【０００９】
上記のスプーンの皿部から柄部に渡ってスプーン本体の材料より剛性の高い芯材を内挿することを特徴とするスプーン。
上記のスプーンを上型と下型に分割し、この上型と下型の全周に渡って結合部を設けて結合し密閉したことを特徴とするスプーン。
上記の何れかのスプーンの駆動部の厚さを他の部位よりも薄くしたことを特徴とするスプーン。
【実施例】
【００１０】
図１から図３により、第一の実施例のスプーンを説明する。スプーン１０は、皿部２０と、皿部２０から延在する柄部３０とから構成されている。皿部２０と柄部３０は、エラストマーや軟質プラスチックで一体に成形されている。皿部２０は上面に凹部２２を有し、凹部２２に沿って皿部空洞４１を内蔵し、皿部空洞４１から柄部３０に渡って柄部空洞４２が延在している。
【００１１】
この皿部空洞４１と柄部空洞４２は連通し、皿部空洞４１は上面を駆動部２１が覆い、柄部空洞４２は操作部３２が覆って空洞４０全体は外部空間から密閉されている。駆動部２１と操作部３２は軟質材で構成されているので、図４のように操作部３２を押圧すると空洞４０の内圧が上がり、駆動部２１が膨張する。駆動部２１は他の部位より薄くして剛性を下げる方が駆動部２１が作動し易い。
【００１２】
この結果、凹部２２を形成していた駆動部２１は上方に変形し、凹部２２を塞ぐ平坦に近い形状或いは凸形状となる。凹部２２に入っていたジャムや蜂蜜等の粘稠物は凹部２２の外に押し出され、パン等に綺麗に塗布できるので、凹部２２に粘稠物が残留する問題が解決できる。即ち、凹部２２に粘稠物をしっかり保持するので、不用意に落下することもなく、かつ凹部２２内の粘稠物が残留することなくパン等に塗布できる効果が得られる。
【００１３】
スプーン１０は、軟質材で形成されているので剛性が不足する心配があるが、内部には皿部２０から柄部３０に渡って、これより剛性の高い芯材６０を内挿して使用時の剛性を確保している。芯材６０としては、金属、硬質プラスチック等の硬質材が望ましい。
【００１４】
図６は柄３０の横断面図であり、屈曲部３３を設けて操作をし易くしている。PPはパーティングラインであり、製造型を２分割して成型する際、このラインで型を上下に２分割すると成型がし易くなる。
【００１５】
図７、図８、図９により第二の実施例のスプーンを説明する。この実施例では、スプーンを上型８１と下型８２に分割し、上型８１は軟質の材料を使用したり板厚を薄くしたりして剛性を低くして、操作部３２や駆動部２１を操作し易くし、下型８２はこれより硬質の材料を使用したり板厚を厚くしたりして剛性を上げ、スプーン１０全体の剛性を確保している。
【００１６】
上型８１と下型８２は、外周部全体に渡って結合部７０により、気密を保って結合されている。結合部７０は第一の結合部７１と第二の結合部７２が容易に分離しないように、組手状に気密を保って結合している。この結合部７０は、アンダーカットを有して結合を確実にし、接着剤でさらに結合と気密を確かにするのが好ましい。
【００１７】
図１０、図１１、図１２により第三の実施例のスプーンを説明する。この実施例では、スプーン１０を成型する際、空洞４０を形成する中子を挿入・抜き易くするよう皿部２０の幅と柄部３０の幅の相違を少なくし、又柄部３０をずん胴にし長手方向に渡って均一断面形状にしたものである。さらに中子挿入孔９０を柄部３０の最端部に設け、中子挿入孔９０から空洞４０形状の中子を挿入・抜き出しをするようにした。
【００１８】
スプーン１０の材料は柔軟で弾力性を有するエラストマーや軟質プラスチックを使用しているので適度のアンダーカットがあっても抜き出しが可能である。成型後は、必要に応じ空洞４０には芯材６０を挿入し、中子挿入孔９０は融着や接着で密閉する。
【産業上の利用可能性】
【００１９】
この発明のスプーンは、介護用や離乳児用にも利用が可能である。
【符号の説明】
【００２０】
１０は粘稠物用スプーン
２０は皿部
２１は駆動部
２２は凹部
３０は柄部
３２は操作部
３３は屈曲部
４０は空洞
４１は皿部空洞
４２は柄部空洞
５０は手
６０は芯材
７０は結合部
７１は上型結合部
７２は下型結合部
８１は上型
８２は下型
９０は中子挿入孔
【図１】
2018061799.tif 000003
【図２】
2018061799.tif 000004
【図３】
2018061799.tif 000005
【図４】
2018061799.tif 000006
【図５】
2018061799.tif 000007
【図６】
2018061799.tif 000008
【図７】
2018061799.tif 000009
【図８】
2018061799.tif 000010
【図９】
2018061799.tif 000011
【図１０】
2018061799.tif 000012
【図１１】
2018061799.tif 000013
【図１２】
2018061799.tif 000014